(57)【要約】      （修正有）【課題】紙など１枚のシートを打ち抜いただけで、どこをも接着、固定することなく簡単に組み立てられ、ディスクの保持固定を確実にし、かつ容易にすることが出来るディスクケースを提供する。【解決手段】矩形台座シート１の上下縁辺に折り筋を介してディスク押さえ片３、４を延設し、ディスク押さえ片中央部には円弧状の切り込みが切り込み口を相対するように配置され、少なくとも一方の円弧状切り込みの両端からディスク押さえ片の左右縁辺まで折り筋を有するディスクケースとする。【選択図】図３
2011057228.tif 000002
【特許請求の範囲】
【請求項１】
矩形台紙シートの上下縁辺に折り筋を介してディスク押さえ片が延設されており、両方のディスク押さえ片中央部には、円弧状切り込みが切り込み口を相対するように配置され、少なくとも一方の円弧状切り込みの両端からディスク押さえ片の左右縁辺まで折り筋を有し、矩形台紙シートの左右縁辺の少なくとも１辺に、少なくとも１本の折り筋を介して矩形表紙シートを延設してある、１枚のシートから成り、どこをも接着、固定することなく組み立てられる事を特徴とするディスクケース。
【請求項２】
矩形台紙シートと矩形表紙シートは２本の折り筋からなる背表紙部で繋がっており、矩形表紙シートの該背表紙と反対側縁辺も同様の２本の折り筋からなる背表紙部を介して係止片が延設されている事を特徴とする請求項１記載によるディスクケース。  
【発明の詳細な説明】
【技術分野】
【０００１】
１枚のシートを打ち抜くだけで出来る、接着、固定などを必要としない簡易ディスクケースに関する。
【背景技術】
【０００２】
ＣＤ（コンパクトディスク）や、ＤＶＤ（デジタルバーサタイルディスク）などのディスクケースは様々な形態、材質のものがある。なかでも５ｍｍ厚みの１２ｃｍＣＤ／DVD用ポリスチレン製ケースはコンパクトでディスク保護機能も高いため大量に使われている。又、厚みが５ｍｍしかないため、ケースに納めたディスクを保管する際、場所をとらず便利である。しかし、プラスチック成型品であるため、ケースの廃棄問題や、背表紙部を含めたケース外観表面に鉛筆やボールペンなどの筆記具でディスクの内容を直接書き込んだり、印刷する事は出来ないなどの難点があった。
【０００３】
これに対して、プラスチック成型を必要としない、紙やプラスチックシートを折り曲げ、接着する事で、薄手のディスクケースを得る事も数多く提案実施されている。シートを折り曲げ、接着するケースでは、ディスクを如何にしっかりとケースに固定するかが成型品にない苦労となるが、簡単なディスク固定法（特許文献１、２、３）が提案、実施されている。
【特許文献１】特開平１１−２９２１７９
【特許文献２】実用新案登録第３０７９０９８
【特許文献３】特開２００１−１３０６７２
【０００４】
特許文献１の中で、紙製従来品の説明となる図７、図８に示すディスク固定法ならば、これだけで完全にディスクは台紙に固定され、蓋、表紙などをしなくても、ディスクが動いたり、脱落したりしない点で優れた方法である。これは特許文献２でも使われているが、共通の問題点は特許文献１の図７に示す１３０ａ、１３０ｂを接着する事である。又、特許文献１、特許文献３は、接着は必要としないが蓋、又は表紙をしない状態ではディスクは脱落の可能性を有している事である。
【発明の開示】
【発明が解決しようとする課題】
【０００５】
本発明が解決しようとしている課題は以下の如くである。即ち、１枚のシートを折り曲げるだけで、接着固定も必要とせず、蓋、表紙でディスクを覆ったり、蓋を係止しなくてもしっかりとディスクが保持され、脱落の心配もない簡易ディスクケースを提供する事にある。
【課題を解決するための手段】
【０００６】
第一の課題解決手段は、矩形台紙シートの上下縁辺に折り筋を介してディスク押さえ片が延設されており、両方のディスク押さえ片中央部には、円弧状切り込みが切り込み口を相対するように配置され、少なくとも一方の円弧状切り込みの両端からディスク押さえ片の左右縁辺まで折り筋を有し、矩形台紙シートの左右縁辺の少なくとも１辺に、少なくとも１本の折り筋を介して矩形表紙シートを延設してある、１枚のシートから成り、どこも接着することなく組み立てられる事を特徴とするディスクケースとする。
【０００７】
第二の課題解決手段は、矩形台紙シートと矩形表紙シートは２本の折り筋からなる背表紙部で繋がっており、矩形表紙シートの該背表紙部と反対側縁辺も同様の２本の折り筋からなる背表紙部を介して係止片が延設されている事を特徴とする第一の課題解決手段記載によるディスクケースとする。  
【発明の効果】
【０００８】
従来、１枚のシートからなり接着、固定もしないディスクケースは、蓋を閉じたり、係止すればディスクはしっかりと固定されるようになるが、蓋が閉じられる前はディスクの脱落の可能性は否定出来ない。またディスクケースを蓋が閉じられる前でもしっかり固定するためには特許文献１の図７、図８にあるようにディスク押さえ片１３０ａ、１３０ｂは台紙に接着する必要があった。しかし本発明によれば１枚のシートをどこも接着、固定することなく、即ちディスク押さえ片を台紙に接着、固定することなく蓋も閉じる前でもディスクはしっかりディスク押さえ片に固定され、脱落の心配はなくなる。
【０００９】
また、紙などのシート１枚を打ち抜くだけであり、最も安価なコストで生産出来、シートに紙を用いれば、背表紙を含めどの面にも、ディスクのタイトルなどの内容を鉛筆、ボールペンなど通常筆記具で書く事が出来、背表紙にディスクの内容を書けるので大量のディスクを保管し、その中から目的のディスクを探す時、棚等に並んでいる状態から背表紙を見て一発で目的のディスクを探し出せる事は大きなメリットである。従来のプラスチックケースでは最も安価で、薄い５ｍｍ厚みのディスクケースでは背表紙ディスクを探し出す事は不可能であったが、本発明によれば簡単に、かつ安価に可能にすることが出来る。
【発明を実施するための最良の形態】
【００１０】
図１は本実施形態の展開図を示す。シートは坪量３１０g／ｍ２のコート紙を使用。実戦は切断を点線は折り筋を示す。ディスク押さえ片３（３ａ、３ｂ、３ｃ、３ｄ、３ｅ）、４（４ａ、４ｂ、４ｃ、４ｄ、４ｅ）が折り筋８、９を介して 矩形台紙シート１の上下縁片に延設されている。ディスク押さえ片３、４には円弧状切り込み３ｃ、４ｃが、円弧状切り込み３ｃ、４ｃの両端からは折り筋３ｄ、４ｄが設けられている。矩形台紙シート１の他の１縁辺に矩形表紙シート２が２本の折り筋から成る背表紙７ａを介して延設されている。矩形表紙シート２の先端縁辺には２本の折り筋からなる背表紙７ｂを介して係止片５が延設されている。
【００１１】
図２は、図１のディスク押さえ片３、４を折り筋８、９より折り曲げた状況を示す平面図である。
【００１２】
図３は、図２の状態に於いて、ディスクＤ１の適当な円弧辺をディスク押さえ片４の円弧状切り込み４ｃに差込み、ディスク反対側縁部を、ディスク押さえ片３の折り筋３ｄで折り曲げたディスク押さえ上片３ｂに乗せた状態を示す斜視図である。
【００１３】
図４は、図２の状態に於いて、上下両方のディスク押さえ片３、４を折り筋３ｄ、４ｄで折り曲げ、ディスクＤ１を円弧状切り込み片３ｅ、４ｅの内側、ディスク押さえ上片３ｂ、４ｂの上に乗せた状態を示す斜視図である。
【００１４】
図５は図３、図４の状態からディスクＤ１を図３では円弧状片３ｅを、図４では円弧状片３ｅ及び４ｅを外側から矩形台紙シート１に向けて指で押してディスクＤ１をしっかり矩形台紙シートに保持固定した状態を示す斜視図である。ディスクＤ１は円弧状片３e、４ｅにより押さえつけられ、ディスクＤ１はディスク押さえ上片３ｄ、４ｄを押さえつけており、ディスクもディスク押さえ片もお互いに相手を押さえつけている事が理解できる。即ち、これによりシートをどこも接着、固定することなく、簡単にディスクを台紙に保持固定出来る事が分かる斜視図である。図６は図５の状態の平面図を示す。図７は図４に於けるＸ−Ｘ断面図を示す。図８は図５の状態から、矩形表紙シート２をディスクＤ１の上に被せ、係止片５を矩形台紙シート側に折り曲げ、矩形台紙シート１の係止穴６に係止ベロ５ａを差し込んだ状態を示す。
【００１５】
本発明は図９、図１０に示す如く、ディスク２枚を収納する仕様も可能であり、これ以上も可能である事は言うまでもない。又、ディスク押さえ片の円弧状片は図９、図１０に示す如く、完全な円弧でなくとも可能である事も明らかである。更に、図１１に示す如く円弧状片には抜き窓３ｆ、４ｆを開け、ディスクの一部が円弧状片の反対側に飛び出させディスク押さえ片の矩形台紙シートに対して角度をつける事により容易にディスクのディスク押さえ片による係止をたやすくすることも出来る。尚、本発明により保持、固定されたディスクは両方の円弧状片の先端を指でつまんで上に引けば簡単にディスクの固定は解除される。本発明によれば、ディスクのケースへの保持固定も一発アクション、解除も一発アクションで行え、薄く、安価で、背表紙部への筆記製付与も可能な優れものである。
【図面の簡単な説明】
【００１６】
【図１】展開平面図
【図２】ディスク押さえ片の折り畳み平面図
【図３】ディスク押さえ上片（３ｂ）のディスク一辺片乗せ斜視図
【図４】ディスク押さえ上片（３ｂ、４ｂ）へのディスク両乗せ斜視図
【図５】ディスク保持固定状態斜視図
【図６】ディスク保持固定状態平面図
【図７】図４のＸ−Ｘ断面図
【図８】ディスク収納後係止ベロを差し込んだ斜視図
【図９】ディスク２枚収納タイプの展開平面図
【図１０】ディスク２枚収納タイプにディスク２枚を収納した平面図
【図１１】窓開き円弧状片タイプの展開図
【符号の説明】
【００１７】
Ｄ１、Ｄ２  ディスク  
１          矩形台紙シート
２          矩形表紙シート
３、４      ディスク押さえ片
５          係止片
５ａ        係止ベロ
６          係止ベロ差込口
７          背表紙
８、９      折り筋  
【図１】
2011057228.tif 000003
【図２】
2011057228.tif 000004
【図３】
2011057228.tif 000005
【図４】
2011057228.tif 000006
【図５】
2011057228.tif 000007
【図６】
2011057228.tif 000008
【図７】
2011057228.tif 000009
【図８】
2011057228.tif 000010
【図９】
2011057228.tif 000011
【図１０】
2011057228.tif 000012
【図１１】
2011057228.tif 000013